(57)【要約】【課題】装着感を向上させつつ、漏れを防ぐ吸収性物品を提供する。【解決手段】吸収性物品は、表面シート１０、裏面シート２０及び前記表面シート１０と前記裏面シート２０との間に配置される吸収体３０とを備え、前記表面シート１０と前記吸収体３０とが製品の厚み方向Ｔに圧縮された圧搾溝５０が製品の長手方向Ｌに沿って形成された吸収性物品であって、前記圧搾溝５０は、一対の第１長手圧搾溝５１と、前記長手方向Ｌに直交する製品の幅方向Ｗにおいて前記第１長手圧搾溝５１より外側に位置する一対の第２長手圧搾溝５２とを有し、前記第１長手圧搾溝５１と前記第２長手圧搾溝５２とは、それぞれ前記長手方向に沿って交互に配置された高密度領域５６、５８と低密度領域５７、５９とを有し、前記第１長手圧搾溝５１に含まれる低密度領域５７と前記第２長手圧搾溝５２に含まれる高密度領域５８とは、前記幅方向Ｗにおいて隣り合うように配置される。【選択図】図３
2015093172.tif 000002
【特許請求の範囲】
【請求項１】
液透過性の表面シート、液不透過性の裏面シート及び前記表面シートと前記裏面シートとの間に配置される吸収体とを備え、
前記表面シートと前記吸収体とが製品の厚み方向に圧縮された圧搾溝が製品の長手方向に沿って形成された吸収性物品であって、
前記圧搾溝は、一対の第１圧搾溝と、前記長手方向に直交する製品の幅方向において前記第１圧搾溝より外側に位置する一対の第２圧搾溝とを有し、
前記第１圧搾溝と前記第２圧搾溝とは、それぞれ前記長手方向に沿って交互に配置された高密度領域と低密度領域とを有し、
前記第１圧搾溝に含まれる低密度領域と前記第２圧搾溝に含まれる高密度領域とは、前記幅方向において隣り合うように配置される吸収性物品。
【請求項２】
前記第２圧搾溝に含まれる高密度領域における厚みは、前記第１圧搾溝に含まれる高密度領域の厚みより薄い請求項１記載の吸収性物品。
【請求項３】
前記第２圧搾溝に含まれる高密度領域における厚みは、前記第２圧搾溝に含まれる低密度領域における厚みより薄い請求項１記載の吸収性物品。
【請求項４】
前記第２圧搾溝は、前記長手方向に湾曲して延びている請求項１乃至３のいずれか一項に記載の吸収性物品。
【請求項５】
前記第２圧搾溝に含まれる低密度領域は、前記第１圧搾溝における低密度領域と高密度領域とが接する辺を前記幅方向外側に延ばした延長線上に存在する請求項１乃至４のいずれか一項に記載の吸収性物品。
【請求項６】
前記第１圧搾溝に含まれる高密度領域は、前記幅方向外側に凸状の形状を有する請求項１乃至５のいずれか一項に記載の吸収性物品。
【請求項７】
前記第２圧搾溝の前記幅方向長さは、前記第１圧搾溝の前記幅方向長さより長い請求項１乃至６のいずれか一項に記載の吸収性物品。
【発明の詳細な説明】
【技術分野】
【０００１】
本発明は、生理用ナプキン等の吸収性物品に関する。
【背景技術】
【０００２】
従来、生理用ナプキン等の吸収性物品には、体液の漏れをより確実に防止しつつ、良好な装着感を実現するために様々な工夫がなされている。このような工夫として、例えば、特許文献１には、液透過性の表面シートと吸収体とを圧縮することによって形成された隣接する２つのマクロエンボシング（圧搾溝）を備える吸収性物品が開示されている。そして、これら２つの圧搾溝のうち少なくともいずれか一つエンボシング形成部位と非形成部位が交互に配置されるように構成されている。この構成によれば、着用感を増大させながら、エンボス加工による体液漏れ防止機能を向上させることができるとされている。
【先行技術文献】
【特許文献】
【０００３】
【特許文献１】特開２００６−３２６２９９号公報（第１図）
【発明の概要】
【発明が解決しようとする課題】
【０００４】
しかしながら、上述した吸収性物品には次のような問題があった。交互に配置されるエンボシング形成部位と非形成部位とでは、吸収体が圧縮される程度が異なる。すなわち、非形成部位の密度は、エンボシング形成部位の密度よりも低い。ここで、吸収性物品の着用者の体液は、吸収体の密度がより高い方に流れるため、一方の圧搾溝の非形成部位のような密度の低い方から、他方の連続的にエンボス加工が施された圧搾溝に向かって体液が流れしまう。さらに、その結果、体液が流れ着く圧搾溝の中は同程度の密度になるように連続的に構成されているため、その圧搾溝の中で体液が拡散し、体液が外部に漏れてしまったり、エンボス加工により圧着し固定されている表面シートがはがれてしまったりするといった問題があった。
【０００５】
本発明は、上記課題に鑑みてなされたものであり、装着感を向上させつつ、漏れを防ぐ吸収性物品を提供することを目的とする。
【課題を解決するための手段】
【０００６】
上述した課題を解決するため、本発明の実施の形態における吸収性物品は、液透過性の表面シート、液不透過性の裏面シート及び前記表面シートと前記裏面シートとの間に配置される吸収体とを備え、前記表面シートと前記吸収体とが製品の厚み方向に圧縮された圧搾溝が製品の長手方向に沿って形成された吸収性物品であって、前記圧搾溝は、一対の第１圧搾溝と、前記長手方向に直交する製品の幅方向において前記第１圧搾溝より外側に位置する一対の第２圧搾溝とを有し、前記第１圧搾溝と前記第２圧搾溝とは、それぞれ前記長手方向に沿って交互に配置された高密度領域と低密度領域とを有し、前記第１圧搾溝に含まれる低密度領域と前記第２圧搾溝に含まれる高密度領域とは、前記幅方向において隣り合うように配置されることを特徴とする。
【発明の効果】
【０００７】
本発明の実施の形態における吸収性物品は、装着感を向上させつつ、漏れを防ぐことができる。
【図面の簡単な説明】
【０００８】
【図１】本発明の実施形態における吸収性物品の肌当接面側から見た平面図である。
【図２】図１に示すＡ−Ａ断面及びＢ−Ｂ断面の模式断面図である。
【図３】図１に示す吸収性物品の圧搾溝を拡大した平面図である。
【図４】第１の変形例における吸収性物品の圧搾溝を拡大した平面図である。
【図５】第２の変形例における吸収性物品の圧搾溝を拡大した平面図である。
【図６】第３の変形例における吸収性物品の圧搾溝を拡大した平面図である。
【発明を実施するための形態】
【０００９】
本発明の実施の形態（以下、実施形態という。）における吸収性物品について、図面を参照して説明する。本発明の実施形態における吸収性物品１は、例えば、生理用ナプキンである。
【００１０】
本発明の実施形態における吸収性物品１を、図１から図３を参照して説明する。図１は、本発明の実施形態における吸収性物品１の平面図である。図２は、図１に示すＡ−Ａ断面図（図２（ａ））及びＢ−Ｂ断面図（図２（ｂ））である。図３は、図１に示す平面図において圧搾溝５０を拡大した図である。
【００１１】
以下の説明において、本発明の実施形態における吸収性物品１は、昼用の生理用ナプキンである。したがって、図１に示す吸収性物品１は、長手方向Ｌにおいて着用者の前側に位置する前側領域ＦＡと、着用者の後側に位置する後側領域ＢＡとの長さが略同じである。なお、後述する一対のウイング部の間の領域は、着用者の排泄口が当接する領域を含む中央領域ＣＡである。中央領域ＣＡよりも前側が前側領域ＦＡとなり、中央領域ＣＡよりも後側が後側領域ＢＡとなる。
【００１２】
なお、本発明の実施形態では、昼用の生理用ナプキンを例に挙げて説明しているが、本発明の実施形態の吸収性物品は、夜用の生理用ナプキンに適用することもできる。夜用の生理用ナプキンは、長手方向Ｌにおいて着用者の前側に位置する前側領域ＦＡよりも、着用者の後側に位置する後側領域ＢＡの方が長く構成されている。
【００１３】
吸収性物品１は、着用者の肌に当接する表面シート１０と、液体を透過しない液不透過性の裏面シート２０と、吸収体３０とを有する。吸収体３０は、表面シート１０と裏面シート２０との間に配設される。吸収体３０は、吸収性物品１の長手方向Ｌ及び幅方向Ｗにおける中央部分に配設される。
【００１４】
吸収性物品１は、図１に示す平面視にて、長手方向Ｌに直交する幅方向Ｗにおいて吸収体３０の外側に設けられるウイング部４３、４４を備える。さらに、吸収性物品１は、幅方向Ｗにおいて吸収体３０の外側に設けられるサイドシート４１、４２を備える。
【００１５】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１６】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、もしくは親水化処理を施した熱可塑性疎水性化学繊維が挙げられる。
【００１７】
前記熱可塑性疎水性化学繊維としては、ポリエチレン（PE）、ポリプロピレン（PP）、ポリエチレンテレフタレート（PET）等の単繊維、PEとPPをグラフト重合してなる繊維、芯鞘構造等の複合繊維が例として挙げられる。
【００１８】
なお、特に不織布には、ウェブフォーミングは、乾式（カード法、スパンボンド法メルトブローン法、エアレイド法等）や湿式等のいずれか、又は複数を組み合わせて行ってもよい。また、ボンディングの方法としては、サーマルボンディング、ニードルパンチ、ケミカルボンディング等の方法が挙げられるが、特にこれらの方法に限定されるものではない。また、水流交絡法によりシート状に形成したスパンレースを用いてもよい。
【００１９】
有孔プラスチックシートとしては、PE、PP、PETといった熱可塑性樹脂の有孔シートや、多孔質の発泡材等を用いることができる。また、これらについては必要に応じて酸化チタンや炭酸カルシウム等からなるフィラーを0.5〜10%の範囲で混入することにより、白濁化させて使用することも好ましい。また、前記熱可塑性樹脂からなるフィルムを、パーフォレーション、ヒートエンボス加工又は機械加工等により開孔した有孔フィルムを使用してもよい。有孔フィルムは、不織布との複合シートとして使用してもよい。
【００２０】
裏面シート２０は、表面シート１０の長さと略同一の長さを有する。裏面シート２０は、ポリエチレンシート、ポリプロピレン等を主体としたラミネート不織布、通気性の樹脂フィルム、スパンボンド又はスパンレース等の不織布に通気性の樹脂フィルムが接合されたシートなどを用いることができる。裏面シート２０は、着用時の違和感を生じさせない程度の柔軟性を有する材料とすることが好ましく、例えば低密度ポリエチレン（LDPE）樹脂を主体とした目付15〜30g/m2の範囲から得られるフィルムを用いることができる。裏面シート２０は、不透液性かつ透湿性であることが望ましく、例えばポリエチレンやポリプロピレン等のオレフィン系樹脂に無機充填剤を溶融混練したものを延伸処理した微多孔性シートによって構成することができる。
【００２１】
吸収体３０は、親水性繊維、パルプを含む。吸収体３０は、経血などの体液を吸収可能な材料によって形成される。例として、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、親水化処理を施した熱可塑性疎水性化学繊維又はケミカルボンド処理されたエアレイドパルプ等を単独若しくは混合して用いることができる。
【００２２】
これらの材料を吸収体に成形する方法は特に限定されるものではないが、例えばエアレイド法、メルトブローン法、スパンレース法、抄紙法等によってシート化したものが使用される。また、吸収体としてセルロース発泡体、合成樹脂の連続発泡体等も使用することができる。さらに、発泡体又は前記シート化した材料を粉砕した後に吸収体に成形したものを使用することも可能である。これらの中でも、パルプを５０〜100%の範囲、粒子状ポリマーを20〜0%の範囲で混合し、テッィシュで被覆した後、エンボス加工によりシート化した目付100〜2000g/m2、1〜50mmの嵩を有する吸収体が挙げられる。エンボス加工は吸収体の型崩れを防止するためであり、エンボス面積率は10〜100%の範囲、好ましくは30〜50%の範囲である。
【００２３】
吸収体３０は、親水性繊維又は粉体をエアレイド法によって積層して形成されてもよいし、親水性繊維又は粉体をエアレイド法によってシート状に成形したエアレイドシートでもよいし、ティッシュ（例えば、目付15ｇ／m2）上に高吸収ポリマーを混入した粉砕パルプを配置し、ティッシュで包むことによって形成されていてもよい。
【００２４】
さらに、薄型吸収体の材料の他の例としては、吸収シート及びポリマーシートが挙げられ、その厚さは、0.3〜5mmであるのが好ましい。この吸収シート及びポリマーシートとしては、通常、生理用ナプキンなどの吸収性物品に用いられるものであれば特に制限なく用いることができる。
【００２５】
吸収シートとしては、吸収紙や不織布、繊維をバインダー等でシート化したパルプシート等が挙げられ、上記ポリマーシートとしては、粉砕パルプ及び繊維に粒子状ポリマーを混合してシート状に形成したシート等が挙げられる。なお、繊維に粒子状ポリマーを混合してシート状に形成したシートとしては、粒子状ポリマーが層状に分散されているもの、三次元状に分散されているもののいずれも用いることができる。
【００２６】
吸収シートを形成する材料及びポリマーシートに用いられる繊維としては、木材パルプ等のセルロース繊維、レーヨン、キュプラ等の再生セルロース繊維、ポリビニルアルコール繊維やポリアクリロニトリル繊維等の親水性合成繊維、界面活性剤等で繊維表面を親水化したポリエチレン、ポリプロピレン、ポリエチレンテレフタレート、ポリエチレン／ポリプロピレン複合繊維又はポリエチレン／ポリエチレンテレフタレート複合繊維が好ましく、親水性が良好に維持される点からは、セルロース繊維がより好ましい。
【００２７】
ポリマーシートに用いられる粒子状ポリマーとしては、自重の２０倍以上の液体を吸収・保持できかつゲル化し得るものが好ましく、そのような例としては、デンプンや架橋カルボキシメチル化セルロース、ポリアクリル酸及びその塩並びにポリアクリル酸塩グラフト重合体等を挙げることができる。
【００２８】
本発明の実施形態における吸収体３０は、綿状パルプや合成パルプ等を坪量100〜300ｇ／m2程度に積層したパルプを保護紙（図示せず）で包むことによって構成されている。保護紙は、パルプの形状を保持するためのものであり、例えばクレープ紙やティッシュペーパーなどを用いることができる。
【００２９】
吸収体３０は、前後方向に延びる形状であり、裏面シート２０よりも略一回り程度小さい。吸収体３０の幅方向Ｗの長さは、成人女性の股間隔に対応しており、概ね50mmである。吸収体３０は、ホットメルトなどの接着剤によって裏面シート２０に接着される。
【００３０】
サイドシート４１、４２は、表面シート１０の両側に配設される。サイドシート４１、４２は、表面シート１０と同様の材料から選ぶことができる。但し、サイドシート４１、４２を乗り越えて吸収性物品１外方へ経血が流れることを防止するためには、疎水性又は撥水性を有することが好ましい。サイドシート４１、４２は、吸収体３０の側縁の一部及びウイング部４３、４４を覆う。
【００３１】
吸収性物品１では、表面シート１０、裏面シート２０、サイドシート４１、４２及び裏面シート２０の周縁が接合されて、吸収体３０が内封される。表面シート１０と裏面シート２０との接合方法としては、ヒートエンボス加工、超音波又はホットメルト接着剤のいずれか一つ又は複数を組み合わせることが可能である。
【００３２】
裏面シート２０において、下着と接触する表面には、複数の領域において粘着剤（図示せず）が塗布されている。粘着剤は、吸収体の裏面側において長手方向Ｌに沿って間欠的に配置されている。粘着剤は、ウイング部４３及びウイング部４４において、下着と接触する表面にも設けられる。使用前の状態では、粘着剤は、図示しない剥離シートに接している。剥離シートは、使用前に粘着剤が劣化するのを防止している。そして、使用時に着用者によって剥離シートが剥離される。
【００３３】
なお、剥離シートを有しない吸収性物品においては、吸収性物品を個別に包装する包装シートによって使用前に粘着剤が劣化するのを防止するように構成されていてもよい。粘着剤と包装シートが接する場合には、包装シートの表面には、粘着剤の粘着力を低下させることなく粘着剤を剥離可能にする処理を施すことが望ましい。
【００３４】
吸収性物品１には、表面シート１０及び吸収体３０が厚み方向に圧縮された圧搾溝５０が形成されている。圧搾溝５０は、吸収性物品１の表面シート１０の肌当接側と吸収体３０の非肌当接側（衣服当接面側）とに対して加工が施されることによって形成された溝である。
【００３５】
圧搾溝５０は、吸収体３０が配置された領域のうち、着用者の排泄口に対向して配置される排泄口が当接する領域の中心を含む中央領域ＣＡの周囲に設けられている。
【００３６】
なお、排泄口が当接する領域の中心は、着用者の排泄口が当接する中央領域ＣＡの長手方向Ｌ及び幅方向Ｗの中心と一致する。例えば、ウイング部を有する吸収性物品においては、ウイング部の長手方向Ｌの中心が、中央領域の長手方向Ｌの中心となる。また、ウイング部を有しない吸収性物品においては、吸収体の幅方向Ｗの長さ寸法が最も短い位置が、中央領域の長手方向Ｌの中心となる。なお、排泄口が当接する領域は、着用者の股間部と当接する領域に含まれており、着用者の両脚の間に位置する。
【００３７】
圧搾溝５０の形状は、例えば、一定の領域を曲線によって囲んだ円形若しくは楕円形、一定の領域を複数の折れ線で囲んだ多角形若しくは円形又は長手方向Ｌ若しくは幅方向Ｗに沿って延びる直線や曲線である。
【００３８】
圧搾溝５０は、第１長手圧搾溝５１と、第２長手圧搾溝５２と、第１幅圧搾溝５３と、第２幅圧搾溝５４とを備える。
【００３９】
まず、平面視における第１長手圧搾溝５１、第２長手圧搾溝５２、第１幅圧搾溝５３及び第２幅圧搾溝５４の形状について説明する。
【００４０】
第１長手圧搾溝５１と第２長手圧搾溝５２とは、それぞれ長手方向Ｌに延びている圧搾溝５０であって、第１長手圧搾溝５１と第２長手圧搾溝５２とは、非平行である。
【００４１】
第１長手圧搾溝５１は、長手方向Ｌに中央領域ＣＡの一部又は全てを含み、幅方向Ｗに間隔を空けて一対配置されている。一対の第１長手圧搾溝５１の幅方向Ｗの間隔は、例えば概ね30mmである。第１長手圧搾溝５１の前側端部５１ＦＥと後側端部５１ＢＥとは、中央領域ＣＡ内の長手方向内側であって、例えばウイング部４３、４４における長手方向Ｌの端部に幅方向Ｗ線上で対向するように設けられる。第１長手圧搾溝５１には、幅方向内側に向かう凸形状を有する曲線部が設けられてもよいし、幅方向Ｗと直交する直線の形状であってもよい。
【００４２】
なお、第１長手圧搾溝５１に曲線部が設けられる場合、例えば、曲線部は、第１長手圧搾溝５１の長手方向両端部から長手方向中心に向かうにつれて、幅方向内側に延びている円弧形状である。但し、第１長手圧搾溝５１の曲線部の形状は、円弧形状でなくてもよい。
【００４３】
第１幅圧搾溝５３は、一対の第１長手圧搾溝５１間において第１長手圧搾溝５１同士を繋ぐように設けられている。具体的には、一対の第１長手圧搾溝５１の前側端部５１ＦＥ同士を繋ぐように第１幅圧搾溝５３が配置され、かつ一対の第１長手圧搾溝５１の後側端部５１ＢＥ同士を繋ぐように第１幅圧搾溝５３が配置されている。第１長手圧搾溝５１と第１幅圧搾溝５３とは連続して配置され、平面視にて環状である。中央領域ＣＡは、第１長手圧搾溝５１と第１幅圧搾溝５３とによって囲まれた領域である。
【００４４】
第２長手圧搾溝５２は、第１長手圧搾溝５１より幅方向外側に、幅方向Ｗに間隔を空けて一対で配置されている。第２長手圧搾溝５２は、長手方向Ｌに沿って、吸収性物品の前側領域ＦＡ及び後側領域ＢＡまで延びている。なお、第２長手圧搾溝５２の長手方向長さは、第１長手圧搾溝５１の長手方向長さを含むように構成されていれば、例えば、第２長手圧搾溝５２の長手方向両端部が、中央領域ＣＡ内に設けられてもよい。
【００４５】
第２長手圧搾溝５２は、長手方向Ｌに湾曲して延びている。具体的には、第２長手圧搾溝５２には、１つ以上の幅方向外側に向かう凸形状を有する曲線部５５が設けられている。
【００４６】
すなわち、第２長手圧搾溝５２が長手方向Ｌに湾曲して延びている場合、第１長手圧搾溝５１と第２長手圧搾溝５２との幅方向長さは、第２長手圧搾溝５２を長手方向Ｌに直線の形状とする場合に比べ、部分的に長くなる。したがって、本発明の実施形態の吸収性物品１では、着用者の体液が第１長手圧搾溝５１から第２長手圧搾溝５２に到達するまでの幅方向長さをより長くできるため、体液が第２長手圧搾溝５２に到達しづらくすることができる。
【００４７】
また、第２長手圧搾溝５２が長手方向Ｌに湾曲して延びている場合、第２長手圧搾溝５２の長手方向長さは、第２長手圧搾溝５２を長手方向Ｌに直線の形状とする場合に比べ、長くなる。したがって、本発明の実施形態の吸収性物品１では、体液が第２長手圧搾溝５２に到達した場合であっても、第２長手圧搾溝５２の長手方向長さが長いため、体液を第２長手圧搾溝５２の長手方向に沿って拡散しづらくすることができる。
【００４８】
なお、この場合、第１長手圧搾溝５１の幅方向外側と第２長手圧搾溝５２の幅方向外側との幅方向Ｗの間隔は、例えば6mmである。
【００４９】
また、曲線部５５の長手方向両端部は、第２長手圧搾溝５２が幅方向Ｗに局所的に第１長手圧搾溝５１に近接しており、括れが形成される。図１の例では、第２長手圧搾溝５２には、２つの曲線部５５が設けられており、曲線部５５の長手方向端部において３ヶ所が括れている。図１の例では、括れている部分の１つは、中央領域ＣＡの長手方向中心を通り、かつ幅方向Ｗに沿った中心ラインＣＡＣＬ上に設けられている。本発明の実施形態における吸収性物品は、昼用のナプキンであって前側領域の長手方向Ｌの長さと後側領域の長手方向Ｌの長さとが同じであるため、中央領域ＣＡの長手方向中心は、吸収体の長手方向中心であり、かつ吸収性物品１の長手方向中心となる。なお、この括れの部分に対して着用時に幅方向内側に力が加わり、着用者のフィット感、装着感を向上させることができる。
【００５０】
第２幅圧搾溝５４は、一対の第２長手圧搾溝５２間において一対の第２長手圧搾溝５２を繋ぐように設けられている。具体的には、吸収性物品の前側領域ＦＡにおいて一対の第２長手圧搾溝５２の前側端部同士を繋ぐように第２幅圧搾溝５４が配置され、かつ吸収性物品の後側領域ＢＡにおいて一対の第２長手圧搾溝５２の後側端部同士を繋ぐように第２幅圧搾溝５４が配置されている。第２長手圧搾溝５２と第２幅圧搾溝５４とは連続して配置され、平面視にて環状である。第２長手圧搾溝５２と第２幅圧搾溝５４とは、第１長手圧搾溝５１及び第１幅圧搾溝５３とを囲むように配置されている。
【００５１】
第１長手圧搾溝５１及び第２長手圧搾溝５２は、長手方向Ｌに沿った直線に対して傾斜するように形成されていてもよく、長手方向Ｌに沿った直線と、第１長手圧搾溝５１又は第２長手圧搾溝５２とによって形成される角度（鋭角側）が４５度以下であるものとする。一方、第１幅圧搾溝５３及び第２幅圧搾溝５４は、幅方向Ｗに沿った直線に対して傾斜するように形成されていてもよく、幅方向Ｗに沿った直線と、第１幅圧搾溝５３又は第２幅圧搾溝５４とによって形成される角度（鋭角側）が４５度未満であるものとする。
【００５２】
また、長手圧搾溝と幅圧搾溝とは、本発明の実施形態のように連なっていてもよいし、離間して配置されていてもよい。具体的には、第１幅圧搾溝５３は、第１長手圧搾溝５１と離間して、第１長手圧搾溝５１よりも長手方向外側に配置されていてもよいし、第１長手圧搾溝５１と離間して、第１長手圧搾溝５１よりも幅方向内側に配置されていてもよい。また、第２幅圧搾溝５４は、第２長手圧搾溝５２と離間して、第２長手圧搾溝５２よりも長手方向外側に配置されていてもよいし、第２長手圧搾溝５２と離間して、第２長手圧搾溝５２よりも幅方向内側に配置されていてもよい。
【００５３】
圧搾溝５０の幅は、具体的には、1.5mm以上、5mm以下であることが好ましい。第１長手圧搾溝５１及び第２長手圧搾溝５２の幅は、例えば2mmである。
【００５４】
次に、第１長手圧搾溝５１、第２長手圧搾溝５２、第１幅圧搾溝５３及び第２幅圧搾溝５４における圧縮の形態について説明する。
【００５５】
第１長手圧搾溝５１は、高密度領域５６と低密度領域５７とを有する。図１及び図３に示すように、高密度領域５６と低密度領域５７とは、第１長手圧搾溝５１において長手方向Ｌに沿って交互に配置されている。図２（ａ）は、図１のＡ−Ａ断面の模式断面図であり、Ａ−Ａ断面は中心ラインＣＡＣＬにおける断面である。図１及び図２（ａ）に示すように、Ａ−Ａ断面上の第１長手圧搾溝５１の圧搾溝は、低密度領域５７である。一方、図２（ｂ）は、図１のＢ−Ｂ断面の模式断面図であり、図１及び図２（ｂ）に示すように、Ｂ−Ｂ断面上の第１長手圧搾溝５１の圧搾溝は、高密度領域５６である。
【００５６】
高密度領域５６は、低密度領域５７よりも強い力で圧縮された、低密度領域５７に比べて吸収体３０の密度が高い領域である。一方、低密度領域５７は、高密度領域５６よりも弱い力で圧縮された、高密度領域５６に比べて吸収体３０の密度が低い領域である。高密度領域５６及び低密度領域５７は、例えば、点状の圧搾部の集合である。点状の圧搾部は、間隔を空けて複数並んで配置されており、全体として一定の領域を形成するように構成されている。なお、低密度領域５７は、圧縮されていない又は略圧縮されていないような点状の圧搾部のない領域であってもよい。なお、着用者の体液の第１長手圧搾溝５１内部での拡散を効果的に抑制するためには、高密度領域５６と低密度領域５７との密度の差が大きい方が好ましい。
【００５７】
第２長手圧搾溝５２は、高密度領域５８と低密度領域５９とを有する。図１及び図３に示すように、高密度領域５８と低密度領域５９とは、第２長手圧搾溝５２において長手方向Ｌに沿って交互に配置されている。図１及び図２（ａ）に示すように、Ａ−Ａ断面上の第２長手圧搾溝５２の圧搾溝は、高密度領域５８である。一方、図１及び図２（ｂ）に示すように、Ｂ−Ｂ断面上の第２長手圧搾溝５２の圧搾溝は、低密度領域５９である。
【００５８】
高密度領域５８は、低密度領域５９よりも強い力で圧縮された、低密度領域５９に比べて吸収体３０の密度が高い領域である。一方、低密度領域５９は、高密度領域５８よりも弱い力で圧縮された、高密度領域５８に比べて吸収体３０の密度が低い領域である。高密度領域５８及び低密度領域５９は、例えば、点状の圧搾部の集合である。点状の圧搾部は、間隔を空けて複数並んで配置されており、全体として一定の領域を形成するように構成されている。なお、低密度領域５７は、圧縮されていない又は略圧縮されていないような点状の圧搾部のない領域であってもよい。なお、着用者の体液の第２長手圧搾溝５２内部での拡散を効果的に抑制するためには、高密度領域５８と低密度領域５９との密度の差が大きい方が好ましい。
【００５９】
次に、第１長手圧搾溝５１に含まれる高密度領域５６及び低密度領域５７と、第２長手圧搾溝５２に含まれる高密度領域５８及び低密度領域５９との長手方向Ｌにおいて配置される位置について説明する。
【００６０】
第１長手圧搾溝５１に含まれる低密度領域５７と第２長手圧搾溝５２に含まれる高密度領域５８とは、幅方向Ｗ線上で対向するように配置される。すなわち、幅方向Ｗ線上で第１長手圧搾溝５１に含まれる低密度領域５７と第２長手圧搾溝５２に含まれる高密度領域５８とが隣り合い、第１長手圧搾溝５１に含まれる高密度領域５６が第２長手圧搾溝５２に含まれる低密度領域５９と隣り合うように、長手方向に沿って配置される。
【００６１】
着用者の体液は、より強く圧縮され密度が高く形成された吸収体３０の部分に優先的に溜まる。したがって、着用者の体液は、最初に吸収性物品１の中央部に排出された後、吸収性物品１の幅方向内側に位置する第１長手圧搾溝５１に到達し、所定量の体液が留まる。さらに体液が増えた場合、体液は、第１長手圧搾溝５１における低密度領域５７から吸収性物品１の幅方向外側の方向に流れ、第２長手圧搾溝５２に到達する。このとき、本発明の実施形態の吸収性物品１は、第１長手圧搾溝５１における低密度領域５７と、第２長手圧搾溝５２における高密度領域５８とが幅方向Ｗにおいて隣り合うように配置される。これにより、第１長手圧搾溝５１における低密度領域５７と、第２長手圧搾溝５２における低密度領域５７とが幅方向Ｗにおいて隣り合うように配置された場合に比べ、体液を拡散させず、よりスムーズに第２長手圧搾溝５２に体液を引き込むことができる。
【００６２】
さらに、体液が第２長手圧搾溝５２に到達した場合であっても、高密度領域５８と低密度領域５９とが長手方向Ｌに沿って交互に配置されているため、第２長手圧搾溝５２に沿って体液が拡散しづらい構造になっている。すなわち、第１長手圧搾溝５１から第２長手圧搾溝５２の高密度領域５８に流入した体液は、高密度領域５８において浸透し、吸収体３０の密度が比較的低い低密度領域５９の方に拡散しづらい。したがって、第２長手圧搾溝５２の長手方向Ｌに沿った吸収体３０の浸透部の膨張により引き起こされる表面シート１０と吸収体３０との剥離を防止できる。
【００６３】
また、図２に示すように、第２長手圧搾溝５２に含まれる高密度領域５８における厚みＴ１は、低密度領域５９における厚みＴ３より薄い。これにより、体液が幅方向内側から第２長手圧搾溝５２に到達した場合であっても、体液が流入する高密度領域５８の厚みより低密度領域５９の厚みの方が厚いため、より高密度領域５８から低密度領域５９に拡散しづらい。したがって、第２長手圧搾溝５２の長手方向Ｌに沿った吸収体３０の浸透部の膨張により引き起こされる表面シート１０と吸収体３０との剥離を防止できる。
【００６４】
圧搾溝５０の厚み方向Ｔの寸法（圧搾溝が肌当接面側と衣服当接面側の両方に形成される形態においては、肌当接面側からの寸法と吸収体の衣服当接面側からの寸法との合計深さ）は、0.1mm以上20mm以下が好ましいが、吸収性物品の厚みより浅ければよい。また、肌当接面側の溝の深さは、吸収性物品の厚みに対し20〜50%であればよいが、液体の流通性と溝を折り起点とした変形性を考慮すると30〜60%が好ましい。
【００６５】
また、吸収体の衣服当接面側の第１長手圧搾溝５１又は第２長手圧搾溝５２における高密度領域及び低密度領域の厚みは、それぞれ吸収性物品の厚みに対する5〜20%であればよく、低密度領域の深さの平均が高密度領域よりも小さければよい。衣服当接面側の圧搾溝の深さが5％より小さくなると、圧搾溝の変形性、可撓性が悪くなる。また20％より大きくなると、圧搾溝自体が深くなりすぎて脆弱になる。
【００６６】
具体的には、厚みが7mmの吸収性物品における圧搾溝５０の深さは、第１長手圧搾溝５１における高密度領域５６が0.8mm、低密度領域が0.2mmであって、第２長手圧搾溝５２における高密度領域５６が0.8mm、低密度領域が0.2〜0.5mmであることが好ましい。
【００６７】
衣服当接面側の圧搾溝５０に含まれる点状の圧搾部の形状は、ドット状、格子状、楕円状などが挙げられるが、点状の圧搾部を交互に配置する場合は格子状の溝であると、加工が容易である。圧搾部の大きさは、0.5mm2から100mm2であり、圧搾部のピッチは、0.5mmから3mmであることが好ましい。
【００６８】
圧搾溝５０の加工方法は、例えば以下のような方法が挙げられる。上下方向に向かい合うエンボスロールの間を通過させて、当該エンボスロールによって上下方向に押圧して圧搾溝を形成する。上側のエンボスロールの吸収性物品の肌当接面側との接触面には、１段階の深さが連続した略楕円形状の溝が配置されている。下側のエンボスロールの吸収性物品の衣服当接面側との接触面には、段階の深さからなる溝が配置されている。
【００６９】
なお、圧搾溝５０の加工方法はこれに限らず、ロールの上下を反転させたり、２段階の深さのパターン形状を変更したり、エンボス条件である温度やロール間の距離を適宜調整してもよい。
【００７０】
上述したように、本発明の実施形態における吸収性物品が備える前記圧搾溝５０は、一対の第１長手圧搾溝５１と、前記長手方向Ｌに直交する製品の幅方向Ｗにおいて前記第１長手圧搾溝５１より外側に位置する一対の第２長手圧搾溝５２とを有し、前記第１長手圧搾溝５１と前記第２長手圧搾溝５２とは、それぞれ前記長手方向に沿って交互に配置された高密度領域５６、５８と低密度領域５７、５９とを有し、前記第１長手圧搾溝５１に含まれる低密度領域５７と前記第２長手圧搾溝５２に含まれる高密度領域５８とは、前記幅方向Ｗにおいて隣り合うように配置される。
【００７１】
これにより、着用者の体液が第１長手圧搾溝５１から幅方向外側に流れ、第２長手圧搾溝５２に到達した場合であっても、第２長手圧搾溝５２内部での拡散を防ぐことができる。したがって、第２長手圧搾溝５２内部で拡散してしまうことによる表面シート１０と吸収体３０との剥離を防止でき、体液の外部への漏れを防ぐことができる。
【００７２】
次に、本発明の実施形態の第１の変形例について図４を参照して説明する。
【００７３】
図４は、第１の変形例における吸収性物品１の圧搾溝５０を拡大した平面図である。第１の変形例における吸収性物品１が備えるその他の構成は、本発明の実施形態の吸収性物品１が備える構成と同じであればよい。
【００７４】
図４に示すように、第１の変形例の吸収性物品１において、第２長手圧搾溝５２に含まれる低密度領域５９は、第１長手圧搾溝５１における低密度領域５７と高密度領域５６とが接する辺Ｓを幅方向外側に延ばした延長線上に存在する。具体的には、図４に示すように、第１長手圧搾溝５１の低密度領域５７の形状は、第１長手圧搾溝５１における辺Ｓを幅方向外側に延ばした延長線を示す矢印Ｕ１が第２長手圧搾溝５２に含まれる低密度領域５９を指すように構成される。
【００７５】
これにより、着用者の体液が第１長手圧搾溝５１における低密度領域５７から幅方向外側に向かって流れる場合、体液は、第１長手圧搾溝５１における辺Ｓに沿って、第２長手圧搾溝５２の低密度領域５９に向かって流れる。
【００７６】
したがって、第２長手圧搾溝５２において表面シート１０と吸収体３０との圧着力が高い部分である高密度領域５８に体液が流れないため、高密度領域５８における圧着力の低下を抑制できえる。その結果として、表面シート１０と吸収体３０との剥離を生じにくくすることができる。
【００７７】
次に、本発明の実施形態の第２の変形例について図５を参照して説明する。
【００７８】
図５は、第２の変形例における吸収性物品１の圧搾溝５０を拡大した平面図である。第２の変形例における吸収性物品１が備えるその他の構成は、本発明の実施形態の吸収性物品１が備える構成と同じであればよい。
【００７９】
図５に示すように、第２の変形例の吸収性物品１において、第１長手圧搾溝５１に含まれる高密度領域５６は、幅方向外側に凸状の形状を有する。具体的には、図５に示すように、第２の変形例の吸収性物品１における高密度領域５６の幅方向内側の長手方向長さＬ１は、高密度領域５６の幅方向外側の長手方向長さＬ２より長く、かつ長手方向ＬにおいてＬ２を含む構成になっている。
【００８０】
これにより、着用者の体液は、幅方向内側から高密度領域５６の幅方向外側に凸状の形状に沿って幅方向外側に流れる。すなわち、体液は、図５に示す矢印Ｕ２の向きに流れる。そして、第１長手圧搾溝５１に含まれる高密度領域５６と第２長手圧搾溝５２に含まれる低密度領域５９とは、前記幅方向において隣り合うように配置されているため、体液は、矢印Ｕ２に沿って、第２長手圧搾溝５２に含まれる低密度領域５９に向かって流れる。
【００８１】
したがって、第２の変形例の吸収性物品１によれば、第２長手圧搾溝５２において表面シート１０と吸収体３０との圧着力が高い部分である高密度領域５８に体液を流れにくくすることができる。この結果、高密度領域５８における圧着力は低下しないため、表面シート１０と吸収体４０とを剥がれにくくすることができる。
【００８２】
次に、本発明の実施形態の第３の変形例について図６を参照して説明する。
【００８３】
図６は、第３の変形例における吸収性物品１の圧搾溝５０を拡大した平面図である。第３の変形例における吸収性物品１が備えるその他の構成は、本発明の実施形態の吸収性物品１が備える構成と同じであればよい。
【００８４】
図６に示すように、第２長手圧搾溝５２における幅方向長さＷ１は、第１長手圧搾溝５１における最も長い幅方向長さＷ２より長い。例えば、第２長手圧搾溝５２の幅方向長さＷ７は3mmであって、第１長手圧搾溝５１の幅方向長さＷ４は2mmである。
【００８５】
吸収性物品１は、長手方向よりも幅方向の方が着用者の体液が外へ漏れやすい。そこで、上述したように、幅方向長さＷ１を、Ｗ２より長くすることで、長手方向Ｌよりも幅方向Ｗにおいて、着用者の体液の吸収性物品１の第２長手圧搾溝５２内部での拡散を抑制する効果を大きくすることができる。具体的には、体液が第２長手圧搾溝５２に到達した場合であっても、表面シート１０と吸収体３０とが圧着される面積を増やし、かつ第２長手圧搾溝５２への体液の流入可能な量を増やすことができる。そのため、表面シート１０と吸収体３０との剥離が生じにくい構成とすることができる。
【００８６】
なお、吸収体の目付及び密度は、例えば、以下の測定方法によって測定することができる。包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００８７】
なお、厚みは、以下のような測定方法によって測定することができる。具体的には、サンプルの吸収性物品を、液体窒素に含浸させて凍結させた後、剃刀でカットし、常温に戻した後、電子顕微鏡（例えば、キーエンス社ＶＥ７５００）を用いて、５０倍の倍率で測定する。ここで、サンプルの吸収性物品を凍結させる理由は、カット時の圧縮により厚みが変動するのを防ぐためである。また、吸収性物品等の硬さは、例えば、ＪＩＳ-１０９６に規定されているガーレー法を用いて測定することができる。
【００８８】
次に、本実施形態における吸収性物品１の製造方法の一部について説明する。なお、説明しない方法については、既存の方法を用いることができる。吸収性物品の製造方法は、第１ステップとして、表面シート生成工程を行う。
【００８９】
次いで、第２ステップとして、表面シート接合工程を行う。具体的には、表面シート１０とサイドシート４１、４２とを、例えば熱溶着によって接着する。
【００９０】
第３ステップとして、吸収体成型工程を行う。具体的には、成型ドラムによって吸収体の材料となるパルプを成型して吸収体３０を成型する。なお、第１ステップ及び第２ステップの表面シート１０の製造工程と、第３ステップの吸収体成型工程の順序は、逆の順序であってもよい。
【００９１】
第４ステップにおいて、接合工程を行う。具体的には、第３ステップにおいて成型した吸収体と、第２ステップにおいて接合した表面シート１０及びサイドシート４１、４２とを接合する接合工程を行う。
【００９２】
第５ステップにおいて、圧搾工程を行う。具体的には、吸収体３０と表面シート１０とを厚み方向に圧縮し、圧搾溝５０を形成する。
【００９３】
第６ステップにおいて、裏面シート接合工程を行う。具体的には、圧搾溝を形成した吸収体及び表面シート１０等と、裏面シート２０とを接合する。裏面シート２０を接合した後、接着剤を塗布する工程を備える。上記の工程により、本実施の形態における吸収性物品を製造することができる。
【００９４】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００９５】
例えば、圧搾溝は、少なくとも第１長手圧搾溝及び第２長手圧搾溝を有していればよく、第１幅圧搾溝及び／又は第２幅圧搾溝を備えていなくてもよい。
【００９６】
また、吸収性物品は、生理用ナプキンに限られず、吸収パッド、パンティーライナーであってもよい。また、例えば、吸収性物品は、吸収体の幅方向外側端部に、ギャザーが形成されていてもよい。
【符号の説明】
【００９７】
ＣＡ…中央領域
ＦＡ…前側領域
ＢＡ…後側領域
Ｌ…長手方向
Ｔ…厚み方向
Ｗ…幅方向
１…吸収性物品
１０…表面シート
２０…裏面シート
３０…吸収体
４１、４２…サイドシート
４３、４４…ウイング部
５０…圧搾溝
５１…第１長手圧搾溝
５２…第２長手圧搾溝
５３…第１幅圧搾溝
５４…第２幅圧搾溝
５５…曲線部
５６…高密度領域
５７…低密度領域
５８…高密度領域
５９…低密度領域
【図１】
2015093172.tif 000003
【図２】
2015093172.tif 000004
【図３】
2015093172.tif 000005
【図４】
2015093172.tif 000006
【図５】
2015093172.tif 000007
【図６】
2015093172.tif 000008
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
液透過性の表面シート、液不透過性の裏面シート及び前記表面シートと前記裏面シートとの間に配置される吸収体を含み、製品の長手方向と該長手方向に直交する製品の幅方向とを有する吸収性物品であって、
前記長手方向に延びる前記表面シートと前記吸収体とが製品の厚み方向に圧縮された圧搾溝を備え、
前記圧搾溝は、一対の第１圧搾溝と、該第１圧搾溝と前記長手方向に非平行であって、前記第１圧搾溝よりも前記製品の幅方向両外側に配置された一対の第２圧搾溝とを有し、
前記第１圧搾溝と前記第２圧搾溝とは、それぞれ前記長手方向に沿って交互に配置された高圧搾部と低圧搾部とを有し、
前記第１圧搾溝に含まれる低圧搾部と前記第２圧搾溝に含まれる高圧搾部とは、前記幅方向において隣り合うように配置され、
前記第２圧搾溝に含まれる低圧搾部は、前記第１圧搾溝における低圧搾部と高圧搾部とが接する辺を前記幅方向外側に延ばした延長線上に存在する吸収性物品。
【請求項２】
前記第２圧搾溝に含まれる高圧搾部における厚みは、前記第１圧搾溝に含まれる高圧搾部の厚みより薄い請求項１記載の吸収性物品。
【請求項３】
前記第２圧搾溝に含まれる高圧搾部における厚みは、前記第２圧搾溝に含まれる低圧搾部における厚みより薄い請求項１記載の吸収性物品。
【請求項４】
前記第２圧搾溝は、前記長手方向に湾曲して延びている請求項１乃至３のいずれか一項に記載の吸収性物品。
【請求項５】
前記第１圧搾溝に含まれる高圧搾部は、前記幅方向外側に凸状の形状を有する請求項１乃至４のいずれか一項に記載の吸収性物品。
【請求項６】
前記第２圧搾溝の前記幅方向長さは、前記第１圧搾溝の前記幅方向長さより長い請求項１乃至５のいずれか一項に記載の吸収性物品。